(57)【要約】【目的】ノックを繰返しても芯が一定長に維持される芯繰出し装置であって、使い勝手良く芯折れや細い芯であっても芯把持部で食いちぎられる問題がない。【構成】口先部の先端孔から前後動可能に突出するスライダーの内孔部略前端位置に、所定の押圧力以下では芯の先端が当接して芯の疎通が不可となるストッパーが固定され、芯ケースと連動してスライダーが前進し、スライダーが最前進して前進を阻止された状態で芯がストッパーの後端から所定量離れる状態となり、継手装置が縮むことで芯ケースが前進するとともに芯把持機構が拡開して芯を解放し、芯の自重落下により芯がストッパー後端に当接し、ノック操作の解消時にはスライダーが最前進した位置を維持しながら芯把持機構が閉じて芯を把持した後、スライダーが初期位置まで後退して芯がストッパーを疎通し、スライダーの前端から芯が所定の長さで突出可能となる。【選択図】        図１
2004216691.tif 000002
【特許請求の範囲】
【請求項１】
ノック操作により芯把持機構が芯を把持、解放する芯繰り出し装置において、
初期ノック時には芯把持機構にノック力が伝わらない構造とすると共に、芯自重では芯を通過させないストッパーが初期ノック操作と連動して動き、ストッパーの動きが阻止された状態で、芯把持機構が芯を解放し芯がストッパー後端に当接、芯把持機構が芯を把持した後ストッパーが可動し芯が疎通する構造であって、ストッパーの動きと、芯把持機構が芯を把持、解放する時期はノック操作に連動した部品との距離により設定されている事を特徴とする芯繰り出し装置。
【請求項２】
ノック操作により芯把持機構が芯を解放し、ノック操作を解消した時に芯把持機構が芯を把持する芯繰り出し装置において、
当該芯繰り出し装置は、軸筒の先端に設けられた口先部の先端孔から前後動可能に突出するスライダーが設けられ、スライダーの内孔部略前端位置に、芯を疎通可能にすると共に所定の押圧力以下では芯の先端が当接して芯の疎通が不可となる弾性変位可能なストッパーが固定されて、前記スライダーは継手装置を介して芯ケースと連動するようにスプリングにより後方に附勢され、
一方、前記スライダー後方の同軸線上に芯把持機構が芯を把持する状態で設けられ、
ノック操作を開始すると、芯把持機構は芯を把持した状態を維持し、継手装置を介して芯ケースと連動してスライダーが前進し、スライダーが最前進して前進を阻止された状態で芯がストッパーの後端から所定量離れる状態（連続ノックの場合は略当接状態）となり、
さらにノック操作が進むと、継手装置が縮むことで芯ケースが前進するとともに芯把持機構が芯を解放し、芯の自重落下により芯がストッパー後端に当接し、ノック操作の解消時にはスライダーが最前進した位置を維持しながら芯把持機構が芯を把持した後、スライダーが初期位置まで後退して芯がストッパーを疎通し、スライダーの前端から芯が所定の長さで突出可能となる芯繰り出し装置。
【請求項３】
芯把持機構は芯把持機構後部の段部と芯ケースの段部とが当接することにより芯を把持、解放する構造であって、
芯把持機構が芯を把持、解放する時期は、芯把持機構後部の段部と芯ケースの段部との空間距離により設定されていることを特徴とする請求項１乃至請求項２に記載の芯繰り出し装置。
【請求項４】
スライダーの前端から突出する芯の所定長さＬ１、スライダー前端からストッパー後端の距離Ｌ２、芯把持機構が芯を把持した状態での芯把持機構後部の段部と芯ケースの段部との空間距離Ｌ３の関係は、Ｌ３がＬ１とＬ２の合計距離に等しいか若干大きいことを特徴とする請求項１乃至請求項３に記載の芯繰り出し装置。
【請求項５】
継手装置は、リンク継手と、そのリンク継手の後方に前端が連結された状態に設けられたリンクと、リンク継手の内段部とリンクの内段部との間に敷設されたリンクスプリングとからなり、リンクはリンクスプリングによりリンク継手に対し常時後方に附勢され、
リンク継手の前端はスライダー後端と当接し、リンクは後端が芯ケースの前方部に固定され、
リンク装置は、ノック操作により芯ケースに連動してスライダーを前進させ、スライダーが最前進して前進を阻止された状態からリンク継手に対しリンクが前進するようにリンクスプリングの附勢力が設定されてなる請求項１乃至請求項４に記載のシャープペンシル。
【請求項６】
芯把持機構は、略円筒形状の固定筒と、固定筒に設けられた内孔の先端部に固定される締め部材と、締め部材により芯の把持、開放を可能とする（コレット）チャックと、チャックの後端に固定されるチャック継手と、固定筒後端面とチャック継手の間に配されチャックを後方に附勢するチャックスプリングから構成され、
ユニット化された当該芯把持機構は略円筒形状の軸筒に固定され、前記固定筒と軸筒内壁との間には空間部を有するよう、固定筒側面もしくは軸筒内壁は切り欠き部を設け、
その空間部を前後動可能となるようにリンクの後部に設けた脚部が挿通し、芯把持機構を跨いだ継手装置によりスライダーと芯ケースが連動し、
芯ケースの内孔には芯把持機構を拡開させるための作動部となる段部を設け、芯把持機構の作動部となるチャック継手と当接することで芯把持機構が拡開することを特徴とした、請求項５に記載の芯繰り出し装置。
【請求項７】
固定筒は軸筒と一体に形成されたことを特徴とする請求項６に記載の芯繰り出し装置。
【請求項８】
締め部材は固定筒と一体に形成されたことを特徴とする請求項６乃至請求項７に記載の芯繰り出し装置。
【請求項９】
ストッパーに芯が疎通可能となる押圧力Ｐ１、スプリングの初張力Ｐ２、連結スプリングの初張力Ｐ３の関係は、Ｐ１＜Ｐ２、Ｐ２＜Ｐ３と設定され、
チャックスプリングの初張力Ｐ４は、Ｐ１、Ｐ２、Ｐ３のいずれの初張力にも関係せずに設定されていることを特徴とする請求項１乃至請求項８に記載の芯繰り出し装置。
【請求項１０】
ストッパーは、芯の先端が当接する部位に硬質部が設けられ、芯の先端に所定の押圧力が懸かった状態で芯が疎通可能となるように硬質部の外郭に弾性部が設けられてなる請求項１乃至請求項９に記載のシャープペンシル。
【発明の詳細な説明】
【０００１】
【産業上の利用分野】
本発明は、ノック操作により芯が一定長さで筆記具先端から突出され、且つノック操作を繰り返しても芯が一定長さに維持可能となる芯繰り出し装置、具体的にはシャープペンシルや筆記芯ホルダーの改良に関する。
【０００２】
【従来の技術】
【特許文献１】実開昭５５−９９８８７号
図２０は従来良く知られるシャープペンシルの構造を示している。図に示すように、軸筒２０の先方には軸継手２２を介してチャック２４が把持部外周に締め具２５を嵌装して設置され、チャック２４の後端に固着した芯ケース２３と軸継手２２との間に附勢されたチャックスプリング２７によりチャック２４が締め具２５で締め付けられて芯２８を把持している。また軸筒２０の先端に取付けられた口先部２１の先端にはスライダー２６が固定され、そのスライダー２６は、芯ガイド軸部２６ａの前方に先端パイプ２６ｂが、後方にゴム等の弾性材よりなる保持チャック２６ｃが固定されて、芯２８は保持チャック２６ｃを貫通して先端パイプ２６ｂより突出している。この状態から、ノックしてチャック２４を前進するとチャック２４が締め具２５で締め付けられているので芯２８は把持された状態で前進する。また、締め具２５の前端が口先部２１に設けられた段部２１ａに当接し、更にチャック２４が前進すると締め具２５による締め付けが解除され、チャック２４のみが前進し、把持部が拡開する。またノックを解除するときは、まず芯２８は保持チャック２６ｃに保持された状態でチャック２４は把持部が拡開した状態で後退し、締め具２５の後退が阻止された状態からチャック２４は芯２８の把持を開始し、ノックが終了した時点でチャック２４は芯２８の把持を完了する。即ち、従来良く知られるシャープペンシルは、ノック操作を繰り返す毎に締め具２５の前端が段部２１ａに当接する略間隔で順次繰り出される。
【０００３】
このようなシャープペンシルは、筆記に伴い芯が消耗するので時々ノック操作をして芯を繰り出す。このノック操作を忘れると、芯が先端パイプ２６ｂの前端まで摩滅し、筆記が擦れたり、ついには硬い先端パイプの前端で紙を破いてしまうことさえある。従って、時々ノック操作をして芯を繰り出す為に、芯の突出が長すぎる場合が生じ、芯折れの問題が頻発している。また、筆記中に無意識にノックして芯を出しすぎてしまうこともある。
【０００４】
また、上述した問題を解決する手段として、ノック操作により芯が一定長さで筆記具先端から突出され、且つノック操作を繰り返しても芯が一定長さに維持可能となる筆記芯ホルダーが特許文献１の実開昭５５−９９８８７号公報で開示されている。
この筆記芯ホルダーは、「ノッチを押圧した時に筆記芯衝止用コレットチャックが非衝止の状態になって筆記芯の出入を自在とし、また当該ノッチに対する押圧解消した時に筆記芯衝止用コレットチャックが衝止の状態になって筆記芯を銜え止める形式の筆記芯ホルダーに於いて、ノッチの押圧の初期に同押圧をコレットチャックに伝えない構造とすると共に、チャックの前面に内径が筆記芯の径と同一であってその擦止機能を備えた環状のストッパーを同チャックと擦合状態に配し、その両側に支腕を一体に設け、同支腕の基端をノッチの先端に固定し、この支腕を介してストッパーをノッチの押圧初期作動によりコレットチャックの衝口の前方に所定の間隔を置いて臨出し、またノッチの押圧後期作動および戻り初期作動時に同臨出の状態を維持し、更にノッチの戻り後期作動により旧状に復せしめるようにして成る筆記芯ホルダー。」と記載されている。
【０００５】
上記の筆記芯ホルダーは、従来良く知られるシャープペンシルの問題を解決可能とする優れた構成を示している。
しかしながら、ストッパーを後方に附勢しているスプリングとコレットチャックを後方に附勢しているスプリングとが、コレットチャックの環状突起を挟んで直列に配置された構成となっているので、芯の突出長さが安定しない不具合がある。例えばストッパーを附勢しているスプリングの圧縮が進んで附勢力が増し、コレットチャックを附勢しているスプリングの初期附勢力と等しくなった時点でコレットチャックの拡開が始まる場合、各部材間での摺動抵抗その他の要因によってコレットチャックの拡開時期が遅れることが考えられるし、また、ストッパーを附勢しているスプリングはコレットチャックの拡開が始まった以降も引き続き圧縮されるので、ストッパーは前進を続けて芯の突出量を決定するストッパーとコレットチャック先端の空間は離れ続け、芯の突出量が安定しない要因となる。また、この作動におけるスプリングの附勢力の関係は、ストッパーを後方に附勢しているスプリングの初期附勢力をｘ１、コレットチャックが拡開を開始する時点の附勢力をｘ２、またコレットチャックを後方に附勢しているスプリングの初期附勢力をｙ１とすると、ｘ１＜ｙ１、ｘ２＝ｙ１の関係が成り立つ。コレットチャックを後方に附勢するスプリングは、ストッパーを後方に附勢するスプリングの附勢力に対して前述の通りの規制を受けることとなり、例えばシャープペンシルなど細い芯の場合などは、コレットチャックによって芯が食いちぎられる懸念がある。
また他の作動として、ストッパーを附勢しているスプリングが全圧縮した時点でコレットチャックの拡開が始まる場合は、スプリングの全圧縮時の全長は、線材径のばらつきや、巻き数のばらつき、コイルの密着時の径方向のズレなどにより容易に変化する事が考えられる。また、この作動におけるスプリングの附勢力の関係は、ストッパーを後方に附勢しているスプリングの初期附勢力をＸ１、全圧縮した時の附勢力をＸ２、またコレットチャックを後方に附勢しているスプリングの初期附勢力をＹ１とすると、Ｘ１＜Ｙ１かつＸ２＜Ｙ１の関係が成り立つ。この作動においてもコレットチャックを後方に附勢するスプリングは、ストッパーを後方に附勢するスプリングの附勢力に対して前述の通りの規制を受けることとなり、例えばシャープペンシルなど細い芯の場合などは、コレットチャックによって芯が食いちぎられる懸念がある。
また加工が非常に困難と思われる部材を用いていることも、この考案を実現するには不具合となっている。例えば軸筒について述べると、先端にテーパ孔を設ける他、ストッパーの支腕を挿通するための通孔を２箇所設ける必要があり、非常に加工が難しい形状であり、生産性が悪く、非常に高価な部品になることが予想される。またその他の例としてストッパーは、一体に支腕を設けることと記載されているが、支腕はノッチ先端までの長い距離を必要とし、一方で軸筒内を挿通するので、厚み、幅ともに十分には確保出来ないことが予想され、この様な支腕を一体に形成された部材も、非常に加工が難しい形状であり、生産性が悪く、非常に高価な部品になることが予想される。
また、組立性も困難である不具合を呈しており、例えばコレットチャックを後方に附勢しているスプリングは、コレットチャックの中央部に設けられた環状突起と軸筒の先端内面間に敷設されることとなっているが、推察する限りでは組み付け不可能である。
また上記不具合の他、この考案は筆記芯ホルダーと有るように太い芯を突出させるイメージのものであると推察され、細い芯を使用するシャープペンシルの構造に対しては不具合な構造を呈している。
シャープペンシルは、芯が細く、芯折れ防止するため芯を突出する先端部とチャックの間は剛性を配して心ズレが生じないように配慮される必要がある。また、芯折れ防止するため芯の突出長さは短く設定されており、筆記時に先端が容易に視認されるように筆記具の先端はテーパ状に細く形成する必要がある。
【０００６】
【発明が解決しようとする課題】
本発明は、芯折れの問題や筆記中に無意識にノックして芯を繰出してしまう問題を解決する為、上記筆記芯ホルダーの基本的構成を利用して、ノック操作により芯が一定長さで筆記具先端から突出され、且つノック操作を繰り返しても芯が一定長さに維持される芯繰り出し装置であって、芯の突出長さが安定して行われ、先端が容易に視認されて使い勝手が良く、細い芯であってもチャックの把持部で食いちぎられる懸念が無い芯繰り出し装置を提供可能とする。
【０００７】
【課題を解決するための手段】
本発明は、上記課題を達成するために以下の構成を有する。
請求項１に記載の発明に係る芯繰り出し装置は、ノック操作により芯把持機構が芯を把持、解放する芯繰り出し装置において、
初期ノック時には芯把持機構にノック力が伝わらない構造とすると共に、芯自重では芯を通過させないストッパーが初期ノック操作と連動して動き、ストッパーの動きが阻止された状態で、芯把持機構が芯を解放し芯がストッパー後端に当接、芯把持機構が芯を把持した後ストッパーが可動し芯が疎通する構造であって、ストッパーの動きと、芯把持機構が芯を把持、解放する時期はノック操作に連動した部品との距離により設定されている。
従って、芯が所定長さで突出可能となり、突出長さを安定させる事が可能である。
【０００８】
請求項２に記載の発明に係る芯繰り出し装置は、ノック操作により芯把持機構が芯を解放し、ノック操作を解消した時に芯把持機構が芯を把持する芯繰り出し装置において、
当該芯繰り出し装置は、軸筒の先端に設けられた口先部の先端孔から前後動可能に突出するスライダーが設けられ、スライダーの内孔部略前端位置に、芯を疎通可能にすると共に所定の押圧力以下では芯の先端が当接して芯の疎通が不可となる弾性変位可能なストッパーが固定されて、前記スライダーは継手装置を介して芯ケースと連動するようにスプリングにより後方に附勢され、
一方、前記スライダー後方の同軸線上に芯把持機構が芯を把持する状態で設けられ、
ノック操作を開始すると、芯把持機構は芯を把持した状態を維持し、継手装置を介して芯ケースと連動してスライダーが前進し、スライダーが最前進して前進を阻止された状態で芯がストッパーの後端から所定量離れる状態（連続ノックの場合は略当接状態）となり、
さらにノック操作が進むと、継手装置が縮むことで芯ケースが前進するとともに芯把持機構が芯を解放し、芯の自重落下により芯がストッパー後端に当接し、ノック操作の解消時にはスライダーが最前進した位置を維持しながら芯把持機構が芯を把持した後、スライダーが初期位置まで後退して芯がストッパーを疎通し、スライダーの前端から芯が所定の長さで突出可能である。
【０００９】
請求項３に記載の発明に係る芯繰り出し装置は、請求項１に記載の芯繰り出し装置において、芯把持機構は芯把持機構後部の段部と芯ケースの段部とが当接することにより芯を把持、解放する構造であって、芯把持機構が芯を把持、解放する時期は、芯把持機構後部の段部と芯ケースの段部との空間距離により設定されていることを特徴とする。
【００１０】
請求項４に記載の発明に係る芯繰り出し装置は、請求項１乃至請求項３に記載の芯繰り出し装置において、スライダーの前端から突出する芯の所定長さＬ１、スライダー前端からストッパー後端の距離Ｌ２、芯把持機構が芯を把持した状態での芯把持機構後部の作動部と芯ケースの作動部との空間距離Ｌ３の関係は、Ｌ３がＬ１とＬ２の合計距離に等しいか若干大きいことを特徴とする。
【００１１】
請求項５に記載の発明に係る芯繰り出し装置は、請求項１乃至請求項３に記載の芯繰り出し装置において、継手装置は、リンク継手と、その連結継ぎ手の後方に前端が連結された状態に設けられたリンクと、リンク継手の内段部とリンクの内段部との間に敷設されたリンクスプリングとからなり、リンクはリンクスプリングによりリンク継手に対し常時後方に附勢され、
リンク継手の前端はスライダー後端と当接し、リンクは後端が芯ケースの前方部に固定され、
継手装置は、ノック操作により芯ケースに連動してスライダーを前進させ、スライダーが最前進して前進を阻止された状態からリンク継手に対しリンクが前進するようにリンクスプリングの附勢力が設定されている。
【００１２】
請求項６に記載の発明に係る芯繰り出し装置は、請求項５うに記載の芯繰り出し装置において、芯把持機構は、略円筒形状の固定筒と、固定筒に設けられた内孔の先端部に固定される締め部材と、締め部材により芯の把持、開放を可能とする（コレット）チャックと、チャックの後端に固定されるチャック継手と、固定筒後端面とチャック継手の間に配されチャックを後方に附勢するチャックスプリングから構成され、
ユニット化された当該芯把持機構は略円筒形状の軸筒に固定され、前記固定筒と軸筒内壁との間には空間部を有するよう、固定筒側面もしくは軸筒内壁は切り欠き部を設け、
その空間部を前後動可能となるようにリンクの後部に設けた脚部が挿通し、芯把持機構を跨いだ継手装置によりスライダーと芯ケースが連動し、
芯ケースの内孔には芯把持機構を拡開させるための作動部となる段部を設け、芯把持機構の作動部となるチャック継手と当接することで芯把持機構が拡開することを特徴とする。
【００１３】
請求項７に記載の発明に係る芯繰り出し装置は、請求項６に記載の芯繰り出し装置において、固定筒は軸筒と一体に形成されたことを特徴とする。
【００１４】
請求項８に記載の発明に係る芯繰り出し装置は、請求項６乃至請求項７に記載の芯繰り出し装置において、締め部材は固定筒と一体に形成されたことを特徴とする。
【００１５】
請求項９に記載の発明に係る芯繰り出し装置は、請求項１乃至請求項８に記載の芯繰り出し装置において、ストッパーに芯が疎通可能となる押圧力Ｐ１、スプリングの初張力Ｐ２、連結スプリングの初張力Ｐ３の関係は、Ｐ１＜Ｐ２、Ｐ２＜Ｐ３と設定され、
チャックスプリングの初張力Ｐ４は、Ｐ１、Ｐ２、Ｐ３のいずれの初張力にも関係せずに設定されていることを特徴とする。
【００１６】
請求項１０に記載の発明に係る芯繰り出し装置は、請求項１乃至請求項９に記載の芯繰り出し装置において、ストッパーは、芯の先端が当接する部位に硬質部が設けられ、芯の先端に所定の押圧力が懸かった状態で芯が疎通可能となるように硬質部の外郭に弾性部が設けられている。
【００１７】
【実施例】
実施例について図面を参照して説明すると、図１乃至図１１は本発明の実施例に基づく芯繰り出し装置を示している。
まず、本発明の構成から説明する。
図２は、部品ユニットと部品全体を示した斜視図でそれぞれの要部を破断して示している。
【００１８】
図３は芯把持機構の部品展開を示す斜視図である。固定筒８は、円筒状の両側面が平坦に削ぎ落とされたガイド面８ａを有し、前端に細径の先筒部８ｂが形成されてなる。先筒部８ｂの内孔には、締め部として締めリング１１が圧入などによって固着される。
締めリング１１は筆記具の全体を細くするなどの設計都合によって薄肉の金属製の筒体で形成されるが、本発明の構成としては必ずしも必要ではなく、先筒部８ｂの内孔締め部として一体に形成する事もできる。
また、チャック１０は、通常のシャープペンシルに使用されるチャックと同じであり、把持部１０ａの外周には拡縮可能な二つ割又は三つ割のスリットが形成され、後端には凸状の係止部１０ｂが形成されてなる。次にチャック継手１２の軸部１２ａにチャックスプリング１３を挿着し、段部１２ｂにチャックスプリング１３の後端を当接すると共に前端を固定筒８の後端に当接した状態で、前記固定筒８の後端孔からチャック継手１２を挿入して、また、締めリング１１を挿通して固定筒８の前端からチャック１０を挿入し、前記係止部１０ｂを前記チャック継手１２の軸部１２ａの前端に設けられた係止孔１２ｃに圧入係止させて、図４に示される芯把持機構２９が構成される。
【００１９】
図５はリンクユニットの部品展開を示す斜視図である。リンク７は筒部７ａの後端の外周に沿った２ヶ所に、内面側を平坦面とし後方に向かって長く延設された脚部７ｃが形成され、また、筒部７ａの内孔後端には内段部７ｃが設けられ、更に筒部７ａの先端２ヶ所に鉤状の係止部７ｂが形成されてなる。また、リンク継手６は筒体となっており、側面２ヶ所にスリット部６ａが穿設され、前端に内段部６ｂが設けられている。リンク継手６の内段部６ｂにリンクスプリング９の前端を当接し、後端をリンクの内段部７ｄに当接させた状態で、係止部７ｂをスリット部６ａに弾性的に嵌入させて係止させ、図６に示されるリンクユニットが構成される。
【００２０】
図７はスライダーの部品展開を示す斜視図である。スライダー３は、細径の先部材３ａの内孔の略前端に弾性体よりなるストッパー４が挿着され、ストッパー４の後端を押さえる状態で先部材３ａの内孔にガイドパイプ３ｃの前方部が固定され、更に後端に鍔部３ｄとその前方に軸部３ｅを一体に有した後部材３ｂの軸心にガイドパイプ３ｃの後方部が固定されると共に、後部材３ｂの前端が先部材３ａの後端孔に固定されて、図８に示されるスライダー３が構成される。
尚、スライダー３はガイドパイプ３ｃの内孔とストッパー４の内孔を通じて芯が挿通可能となされると共に、所定の押圧力以下では芯の先端がストッパー４の後端に当接して芯の疎通が不可となるように構成され、基本的には弾性変位可能なゴム等の材質で形成されている。
【００２１】
次に、図１、図２、図９に基づいて、本発明の全体の構成について説明する。実施例の芯繰り出し装置は、軸筒１の前方より内孔の内壁に周状の突部あるいは周状の段部１ａが設けられ、上述した芯把持機構２９が軸筒１の前方から挿入され、固定筒８の後端が段部１ａの前部に当接して固定され、続いてリンクユニットが軸筒１の前方から挿入され、固定筒８の後端が段部１ａの前部に当接して固定され、続いてリンクユニットが軸筒１の前方から挿入され、リンク７の脚部脚部７ｃの内面が固定筒８の平坦なガイド面８ａに対接された状態で挿入される。
【００２２】
一方、芯ケース１４は長い筒状体で、後端にノックカバー１８を着脱可能に止着する軸部１４ｄを有し、そのやや前方に鍔部１４ｃを有し、その略前端部から筒状体のほぼ前端近くまで周面に沿って２ヶ所で平坦部１４ａが形成され、段部１４ｅを経て更に短い平坦部１４ｂが形成されてなる。
【００２３】
また、回転止めリング１７は、ぞの内孔ぶ壁面に対面する２ヶ所の平坦部が形成されてなり、芯ケース１４の前方から被嵌され、前記平坦部が芯ケース１４の平坦部１４ａに対接して、回転止めリング１７に対し芯ケース１４は回転方向で一体となされている。また、固定リング１５が芯ケース１４の円周部１４ｆに固定され、芯ケース１４は、その状態で軸筒１の後方から挿入される。
【００２４】
以上により、上述したリンク７の脚部７ｃの後端部の内面が芯ケース１４の平坦部１４ｂに密接し、脚部７ｃの後端部外周面が固定リング１５の内面に圧入状に密接して、リンク７が芯ケース１４と一体に固定される。
【００２５】
また、スライダー３の鍔部３ｄの前面に後端を当接させた状態でスプリング５を装着し、そのスプリング５の前端を口先部２の内孔に設けられた段部に当接させて、スライダー３を口先部２の内孔に嵌挿すると共に、口先部２の軸部２ａに設けた螺子部を軸筒１に設けた螺子部と螺合して、軸部２ａの後端と軸筒１の段部１ａとの間に固定筒８が固着状態に固定され、また、スライダー３の鍔部３ｄの後端がリンク継手６の前端に当接状態となる。
【００２６】
また、上述した回転止めリング１７の前方が軸筒１の後端孔に固着され、芯ケース１４は軸筒１に対し回転方向に回転止めされる。軸筒１の後端外周部に設けられた螺子部には天冠１６が螺合して設けられている。そのとき、天冠１６後端の内段１６ａに芯ケース１４の鍔部１４ｃは上述したスプリング５により押圧された状態になされている。
【００２７】
ところで、上述した実施例の固定筒８は、円筒状の両側面が平坦にこそぎ落とされたガイド面８ａを有し、リンク７の脚部７ｃの内面側が固定筒８の平坦なガイド面８ａに対接された状態で挿入されてガイドされているが、このガイドの形態は設計都合で様々に変更できるものである。また、芯ケース１４は鍔部１４ｃの略前端から筒状体のほぼ前端近くまで周面に沿って２ヶ所で平坦部１４ａが形成され、その平坦部１４ａに回転止めリング１７が挿着されているが、基本的には必須のものではなく、万一、芯ケースが回転方向に無理にねじられた時にリンク７の脚部７ｃがねじられて変形や破損を受けるのを防止するために設けられるものである。また、この回転と目の形態も設計都合で様々に変更できるものである。さらに、芯ケース１４を直接軸筒１と回転止めすれば回転止めリング１７は不要とすることもできる。
【００２８】
また、軸筒１の後端外周部に天冠１６が螺合して設けられているが、軸筒１に対し天冠１６を回転すると芯ケース１４が前後動し、更にスライダー３を連動させて、図１０に示すスライダー３の鍔部３ｄの前面と口先部２の内段部との間隔Ｐを伸縮させる調整装置となっている。この調整装置はは螺合構造が一般的であるがメカニズムはこれに限定されない。また、調節位置がずれないようにロック機構を設けたり、調整のレベルが解るように表示を設けたりすることもできる。尚、前記間隔Ｐを適正値とした状態で天冠１６を固定する事も考えられる。
【００２９】
実施例の芯繰り出し装置は以上のように構成されるが、各部分のユニットや部品の形態は限定されない部分を諸所に含んでいる。一例を挙げれば、スライダー３の構成は多くの部品で組み上げられているが、極端には一部品で形成することも可能である。また、スライダーの後部材３ｂとリンク継手６は一部品とすることも可能である。また、上述した実施例において、リンク継手６とリンク７のそれぞれの内段部間にリンクスプリング９を敷設して、リンク継手６に対してリンク７に所定の強さ以上の押圧がかかった時に、リンク継手６にたいしてリンク７が前進可能となる作用部が設けられているが、リンク継手とリンクを一体に形成して、リンク後方部と芯ケースの前方部との間に同様の作用部を設ける事も可能である。
それらは設計都合によって最適な形態が設定される。
【００３０】
次に図９〜１９に基づいて実施例の芯繰り出し装置の作動状態を説明する。まず、図９はスライダーの先部材３ａの先端に芯１９の先端がやや突出した作動初期の状態を示している。図１１は図９のＡ−Ａ断面図、図１０は図１１のＢ−Ｂ断面方向の図９に対応する断面図である。
また、図１０においてスライダー３の鍔部３ｄの前面と口先部２の後方の内段部との間隔がＰで、ストッパー４の後端と先部材３ａの前端との間隔がＬ２で示されている。また更に、芯ケース１４の前方内孔に形成された内段部１４ｃとチャック継手１２の後端との間隔がＬ３で示されている。
【００３１】
また、図１２は後端をノックして芯ケース１４を前進させ、リンクユニットを介してスライダー３を前進させて、スライダー３の鍔部３ｄの前面が口先部２の後方の内段部に当接した状態を示している。また、図１３は上記と同様に図１２に対応する断面図を示している。
そのとき、リンク継手６の内段部６ｂとリンク７の内段部７ｃとの間に敷設されたリンクスプリング９は圧縮されず、リンク７の係止部７ｂはリンク継手６のスリット部６ａの後端に係止された状態を保っている。即ち、スライダー３の鍔部３ｄの前面と口先部２の前方の内段部との間に敷設されたスプリング５に対して十分な強さに設定されている。また、芯ケース１４の前方内孔に形成された内段部１４ｃは前進するがチャック継手１２の後端に当接しない。またそのとき、芯１９はチャック１０によって把持された状態に固定されるので、スライダー３が前進することによって、芯の先端がストッパー４の疎通孔を抜けてその後方に位置する。即ち、Ｌ１＝Ｐ−Ｌ２の関係にあり、このＬ１が後述する先部材３ａからの芯の突出長さである。
【００３２】
図１４の示すように、スライダー３の前進が阻止された状態で芯ケース１４を更に前進すると、リンクスプリング９が圧縮されながらリンク７が前進する。
また、芯ケース１４の前方内孔に形成された内段部１４ｃも前進してチャック継手１２の後端に当接すると共に、チャック継手１２を介してチャック１０を前進させ、芯の把持が開放される。また、図１５は上記と同様に図１４に対応する断面図を示している。芯の把持が開放されると、芯は自重で落下して、芯の先端がストッパー４の後端に当接した状態となる。ストッパー４にかかる所定の押圧力は、最小でストッパーへの芯の自重による当接力である。
【００３３】
その状態からノック操作を解除して、芯ケースを後退させると、スライダー３が最前進位置に保持されたままリンク７とチャック継手１２が後退し、再び芯１９が把持される。また、その状態でリンク７の係止部７ｂがリンク継手６のスリット部６ａの後端に係止し、その時点からリンク継手６が後退可能となる。また、それと共にスプリング５の復帰力によってスライダー３が後退可能となる。その状態は図１６で示される。また、図１７は上記と同様に図１６に対応する断面図である。
【００３４】
芯ケース１４が初期状態まで後退すると、スライダー３の鍔部３ｄの前面と口先部２の後方の内段部との間隔が再びＰとなる。
そのとき、スプリング５の附勢力は芯１９がストッパー４を疎通する抵抗より十分強く設定されているので、芯１９の先端はストッパー４を疎通し、先部材３ａの前端から適宜長さで突出する。その突出長さＬ１は、上述したようにＬ１＝Ｐ−Ｌ２で規定される。その状態は図１８で示される。また、図１９は上記と同様に図１８に対応する断面図を示している。
【００３５】
芯の突出長さＬ１に関しては、部品のバラツキなどの影響で間隔Ｐがバラつくことにより変化してしまう事がある。また芯の突出長さは、芯の太さ、芯の硬度などにより最適値が異なる。従って、最適な芯の突出長さを得るために間隔Ｐの寸法を調整する調整機構が設けられる。その一手段として、上述したように軸筒１の後端外周部に天冠１６を螺合して、軸筒１に対して天冠１６を回転させることにより芯ケース１４、リンクユニットを介してスライダー３を前後動させて、間隔Ｐを調整可能としている。
【００３６】
【発明の効果】
本発明の構成及び作用は以上の如くであり、ノック操作により芯が一定長さで筆記具先端から突出され、且つノック操作を繰り返しても芯が一定長さに維持されるので芯折れの問題や筆記中に無意識にノックして芯を繰り出してしまう問題が無く、先端が容易に視認されて使い勝手が良く、細い芯であってもチャックの把持部で食いちぎれ荒れる懸念がない芯繰り出し装置を提供する。
【図面の簡単な説明】
【図１】本発明の実施例である芯繰り出し装置の全体を示す縦断面斜視図である。
【図２】実施例である芯繰り出し装置の部分ユニットと部品音全体を示した斜視図である。
【図３】芯把持機構の部品展開を示す斜視図である。
【図４】組上がった芯把持機構の斜視図である。
【図５】リンクユニットの部品展開を示す斜視図である。
【図６】組上がったリンクユニットの斜視図である。
【図７】スライダーの部品展開を示す斜視図である。
【図８】組上がったスライダーの斜視図である。
【図９】実施例の芯繰り出し装置の作動状態を説明した図であって、スライダーの先部材の先端に芯がやや突出した作動初期の状態を示す断面図である。
【図１０】図１１のＢ−Ｂ断面方向における、図９に対応する断面図である。
【図１１】図９のＡ−Ａ断面図を示している。
【図１２】後端をノックして芯ケースを前進させ、スライダーの鍔部の前面が口先部の後方の内段部に当接した状態を示す断面図である。
【図１３】図１２に対応する断面図である。
【図１４】スライダーの前進が阻止された状態で芯ケースを更に前進し、リンクとチャック継手を前進してチャックの芯の恥じが開放された状態を示す断面図。
【図１５】図１４に対応する断面図である。
【図１６】芯ケースが後退し、スライダーが最前進位置に保持されたままリンクとチャック継手が後退し、チャックに再び芯が把持される状態を示す断面図。
【図１７】図１６に対応する断面図である。
【図１８】芯ケースが初期状態まで後退し、スライダーの鍔部の前面と口先部の後方の内段部との間隔が再びＰとなって、芯の先端が先部材の前端から適宜長さで突出する状態を示す。
【図１９】図１８に対応する断面図である。
【図２０】従来良く知られるシャープペンシルの要部を示す断面図である。
【符号の説明】
１        軸筒
１ａ      段部
２        口先部
２ａ      軸部
３        スライダー
３ａ      先部材
３ｂ      後部材
３ｃ      ガイドパイプ
３ｄ      鍔部
３ｅ      軸部
４        ストッパー
５        スプリング
６        リンク継手
６ａ      スリット部
６ｂ      内段部
７        リンク
７ａ      筒部
７ｂ      係止部
７ｃ      脚部
７ｄ      内段部
８        固定筒
８ａ      ガイド面
８ｂ      先筒部
９        リンクスプリング
１０      チャック
１０ａ    把持部
１０ｂ    係止部
１１      締めリング
１２      チャック継手
１２ａ    軸部
１２ｂ    段部
１２ｃ    係止孔
１３      チャックスプリング
１４      芯ケース
１４ａ    平坦部
１４ｂ    平坦部
１４ｃ    内段部
１４ｄ    軸部
１４ｅ    段部
１５      固定リング
１６      天冠
１７      回転止めリング
１８      ノックカバー
１９      芯
２０      軸筒
２１      段部
２２      軸継手
２３      芯ケース
２４      チャック
２４ａ    係止部
２５      締め具
２６      スライダー
２６ａ    芯ガイド部
２６ｂ    先端パイプ
２６ｃ    保持チャック
２７      チャックスプリング
２８      芯
２９      芯把持機構
【図１】
2004216691.tif 000003
【図２】
2004216691.tif 000004
【図３】
2004216691.tif 000005
【図４】
2004216691.tif 000006
【図５】
2004216691.tif 000007
【図６】
2004216691.tif 000008
【図７】
2004216691.tif 000009
【図８】
2004216691.tif 000010
【図９】
2004216691.tif 000011
【図１０】
2004216691.tif 000012
【図１１】
2004216691.tif 000013
【図１２】
2004216691.tif 000014
【図１３】
2004216691.tif 000015
【図１４】
2004216691.tif 000016
【図１５】
2004216691.tif 000017
【図１６】
2004216691.tif 000018
【図１７】
2004216691.tif 000019
【図１８】
2004216691.tif 000020
【図１９】
2004216691.tif 000021
【図２０】
2004216691.tif 000022